(57)【要約】【課題】刈り込み量調節のための機構部分から騒音が発生したり調節位置がずれてしまったりすることがないものとする。【解決手段】櫛歯状の固定刃２１と左右に往復駆動される櫛刃状の可動刃２２との前後方向の相対的スライドで刈り込み量を可変としているヘアカッターである。回転操作型の刈り込み量調整用ダイヤル３と、このダイヤル３に設けられたカム３０に係合してダイヤル３の回転操作に伴ってスライド移動するスライダー４と、スライダー４のスライド移動に伴って固定刃２１と可動刃２２との相対的スライドを行わせるレバー５とを具備する。上記スライダーとレバーとの係合部にばね圧を印加するばね部材１５を具備する。印加したばね圧によってがたつきが無くなるために、騒音が発生したりすることがない。【選択図】図１
2005304627.tif 000002
【特許請求の範囲】
【請求項１】
櫛歯状の固定刃と左右に往復駆動される櫛刃状の可動刃との前後方向の相対的スライドで刈り込み量を可変としているヘアカッターにおいて、回転操作型の刈り込み量調整用ダイヤルと、このダイヤルに設けられたカムに係合してダイヤルの回転操作に伴ってスライド移動するスライダーと、スライダーのスライド移動に伴って固定刃と可動刃との相対的スライドを行わせるレバーとを具備するとともに、上記スライダーとレバーとの係合部及びスライダーとダイヤルとの係合部にばね圧を印加するばね部材を具備していることを特徴とするヘアカッター。
【請求項２】
固定刃と可動刃とは刈り込み量調節のための相対スライド方向における一方向に固定刃もしくは可動刃を付勢するばねを備えているとともに、前記ばね部材は、上記ばねがレバーを介してスライダーに加えているばね付勢方向と逆方向にばね圧を印加するものであることを特徴とする請求項１記載のヘアカッター。
【請求項３】
ダイヤルにおけるカムはスライダーから突出するピンが係合する渦巻き状の溝で且つダイヤルの回転中心を中心とする円弧部分を複数箇所に備え、さらに上記ピンが上記円弧部分に位置するところでクリックを発生させるクリック発生手段を備えていることを特徴とする請求項１または２記載のヘアカッター。
【発明の詳細な説明】
【技術分野】
【０００１】
本発明は、櫛歯状の固定刃と左右に往復駆動される櫛刃状の可動刃とを備えたヘアカッター（バリカン）に関するものである。
【背景技術】
【０００２】
ヘアカッターにおいて、固定刃と左右に往復駆動される可動刃とを前後に相対スライドさせることで刈り込み量を可変としたものがあるが、この刈り込み量の調節を回転操作型調整用ダイヤルで行う場合、実開平７−３７０４７号公報（特許文献１）に示されているように、ダイヤルに設けた渦巻き型のカム溝に係合してダイヤルの回転操作に伴ってスライド移動するスライダーに、回動自在とされているレバーを係合させるとともにレバーの回動で固定刃と可動刃のうちの一方（上記公報に記載のものでは固定刃）を前後スライドさせるようにしている。
【０００３】
ところで、ダイヤルとレバーとを直接係合させずにスライダーを介在させた場合、スライド移動する刃とダイヤルとの間のがたつきがどうしても大きくなってしまうものであり、可動刃を往復駆動する際の振動が上記がたつき部分に加わる時、騒音（ビビリ音）が発生してしまう。これは可動刃の単位時間あたり振動数を高くすると、顕著に現れる。
【０００４】
スライド移動させるのが固定刃ではなく可動刃となっているものでは尚更であり、また可動刃の振動数を高くしたものでは、上記騒音は無視できないものとなる。
【０００５】
また、可動刃を往復駆動する際の振動でスライダーやダイヤルが動いてしまい、刈り込み量が変化してしまうことも生じる。
【特許文献１】実開平７−３７０４７号公報
【発明の開示】
【発明が解決しようとする課題】
【０００６】
本発明は上記の従来の問題点に鑑みて発明したものであって、刈り込み量調節のための機構部分から騒音が発生したり調節位置がずれてしまったりすることがないヘアカッターを提供することを課題とするものである。
【課題を解決するための手段】
【０００７】
上記課題を解決するために本発明に係るヘアカッターは、櫛歯状の固定刃と左右に往復駆動される櫛刃状の可動刃との前後方向の相対的スライドで刈り込み量を可変としているヘアカッターにおいて、回転操作型の刈り込み量調整用ダイヤルと、このダイヤルに設けられたカムに係合してダイヤルの回転操作に伴ってスライド移動するスライダーと、スライダーのスライド移動に伴って固定刃と可動刃との相対的スライドを行わせるレバーとを具備するとともに、上記スライダーとレバーとの係合部及びスライダーとダイヤルとの係合部にばね圧を印加するばね部材を具備していることに特徴を有している。印加したばね圧によってがたつきが無くなるために、騒音が発生したりすることがないものである。
【０００８】
固定刃と可動刃とは刈り込み量調節のための相対スライド方向における一方向に固定刃もしくは可動刃を付勢するばねを備えたものにおいては、前記ばね部材は、上記ばねがレバーを介してスライダーに加えているばね付勢方向と逆方向にばね圧を印加するものであることが好ましい。がたつきをより確実に無くすことができる上に、上記ばねはダイヤルの回転方向によって必要な操作力が異ならせてしまうことになるが、逆方向にばね圧を印加するために、回転方向による必要操作力の違いを小さくすることができる。
【０００９】
またダイヤルにおけるカムはスライダーから突出するピンが係合する渦巻き状の溝で且つダイヤルの回転中心を中心とする円弧部分を複数箇所に備え、さらに上記ピンが上記円弧部分に位置するところでクリックを発生させるクリック発生手段を備えているものでは、振動によるところの刈り込み量調節の位置ずれを完全に無くすことができる。
【発明の効果】
【００１０】
本発明は、スライダーとレバーとの係合部及びスライダーとダイヤルとの係合部にばね部材によってばね圧が印加されていることから、両係合部にがたつきが発生してしまうことがないものであり、がたつきに起因する騒音が発生したりすることがない上に、ダイヤルとスライダーとの係合位置が不用意にずれてしまったりすることもないものである。
【発明を実施するための最良の形態】
【００１１】
以下、本発明を添付図面に示す実施形態に基いて説明すると、細長い筒状で全体が滑らかな曲線を描いている図示例のヘアカッターは、二次電池（図示せず）及びモータ（図示例のものはリニア振動モータ）１０を内蔵する本体１の前端側（図では上端）に刃ブロック２が着脱自在とされているとともに、本体１の上面側にオンオフ用のスイッチ１１と、刈り込み量の調節用のダイヤル３とが配設されている。
【００１２】
上記刃ブロック２は、図４に示すように、ベース部２０と、ベース部２０の前端側に固定された断面楔型の固定刃２１と、固定刃２１の上面に位置している可動刃２２と、可動刃２２に固定された案内ブロック２３と、ベース部２０上に回動自在に配された回動板２４，そして一対のねじりコイルばね２５で構成されたもので、案内ブロック２３はモータによって往復振動駆動される出力軸（図示せず）を受ける係合溝２７を備えている。
【００１３】
回動板２４上にコイル部を位置させている一対のねじりコイルばね２５は、各一端をベース部２０に、各他端を案内ブロック２３に連結していて、可動刃２２を固定刃２１に押し付けているとともに、可動刃２２の左右方向（図中Ｘ方向）の往復動を可能としている。また、ねじりコイルばね２５は、回動板２４がその軸部２９を中心に回動する時、案内ブロック２３を前方へと押すために、可動刃２２は固定刃２１に対して前方側へと移動する。この前後方向（図中Ｙ方向）移動によって刈り込み量の調節が可能となっている。
【００１４】
刈り込み量の調節操作用の前記ダイヤル３は、スライダー４とレバー５とを介して上記回動板２５を回動させるものであり、本体１との対向面側には図５に示すように渦巻き型のカム溝３０と、クリック発生用の複数個の凹部３５とを備えている。一端がダイヤル３の中心付近に、他端が外周部に位置する上記カム溝３０は、全体としては渦巻き型であるが、その外周側に位置する縁は、ダイヤル１の回転中心を中心とする円弧となっている円弧部３１を両端及び途中の複数箇所に備えている。なお、上記クリック発生用の凹部３５には、本体１側に支持されたクリックばね３９（図６〜図８参照）が係合することで、クリックを発生させる。
【００１５】
なお、ダイヤル３の一部を覆っているカバー６にはダイヤル３の表面内周部に記載した刈り込み量の指標（図示せず）を表示するための窓６０が設けられており、この窓６０を通して指標を読み取ることで、現在の刈り込み量の設定が使用者にわかるようになっている。
【００１６】
スライダー４は本体１に前後方向にスライド自在に支持されたもので、その前端側にはレバー５を係合させる係合溝４０を、後端側には上方に突出するピン４１を備えている。このピン４１がダイヤル３の前記カム溝３０に係合することで、ダイヤル３の回転に伴ってスライダー４が前後にスライドする。
【００１７】
レバー５は左右の両側片の中程の軸５２が本体１に支持されることで回動自在となっているもので、上方側の左右両側片をつないでいる連結軸５０の中央部が上記スライダー４の係合溝４０に係合している。そして両側片の下端部５１が刃ブロック２の回動板２４の受け部２８と接触係合する。
【００１８】
ここにおいて、スライダー４と本体１に設けたばね受け片１４との間に、圧縮コイルばねからなるばね部材１５が配設されており、このばね部材１５によってスライダー４は前進方向に付勢されている。一方、レバー５は前記ねじりコイルばね２５による付勢を回動板２４を介して受けて、スライダー４を後方側に押す方向に付勢されている。この結果、スライダー４とレバー５との係合部は全くがたつきのないものとなっている上に、ダイヤル３のカム溝３０とスライダー４のピン４１との係合部も、ピン４がカム溝３０の外周側の縁に接触した状態が常時維持されるものとなっている。
【００１９】
そして、このヘアカッターにおいては、固定刃２１に対して可動刃２２が最も後退している時、図８に示すように、スライダー４は最も前進した位置にあって、スライダー４のピン４１はダイヤル３のカム溝３０のうちの最も半径が大きい部分に位置している。
【００２０】
この状態からダイヤル３を回転させれば、カム溝３０が渦巻き型となっていることから、カム溝３０にピン４１を係合させているスライダー４は後方へスライドしてレバー５を回動させ、レバー５の下端部５１を前方へと移動させるために、回動板２４の回動で可動刃２２が前進し、最終的には図７に示す状態を経て、図６に示す状態、つまりスライダー４が最も後退した位置にあって、スライダー４のピン４１はダイヤル３のカム溝３０のうちの最も半径が小さい部分に位置する状態となる。
【００２１】
いずれの状態の時においても、前述のようにばね部材１５による付勢でダイヤル３のカム溝３０とスライダー４との間にはがたつきが生じることがなく、しかもスライダー４とレバー５との間においても、ねじりコイルばね２５によるレバー５の逆方向付勢もあって、がたつきが生じることはない。
【００２２】
また、がたつきがないために、ダイヤル３の渦巻き型のカム溝３０とスライダー４のピン４１との接触位置がずれることも無いものであり、しかも接触位置がずれることがあったとしても、ダイヤル３の回転に複数箇所でクリックが発生するようにしているとともに、クリック位置においてはピン４１がカム溝３０における円弧部３１に接するようにしており、該円弧部３１はダイヤル３の回転中心を中心とする円弧となっているために、振動で接触位置が少々ずれることがあったとしても、スライダー４が前後に動くことはなく、このために刈り込み量の調節量が変化してしまうことがないものである。
【００２３】
また、刃ブロック２におけるねじりコイルばね２５は、前述のように可動刃２２を固定刃に押し付けることと、可動刃２２の左右及び前後のスライドを可能とすることとを担っているのであるが、このねじりコイルばね２５があるために、可動刃２２を前進させる操作はねじりコイルばね２５のばね付勢に抗して行うことになり、これ故に可動刃２２を前進させる操作は後退させる操作よりも重くなってしまう。しかし、スライダー４を付勢するばね部材１５は、可動刃２２を前進させる方向にスライダー４を付勢するために、前後方向における上記操作力の差を小さくし、可動刃２２を前進させる操作も軽く行うことができるものとしている。図示例のものでは、スライダー４におけるピン４１の位置と、レバー５に係合する係合溝４０の位置とがスライダー４のスライド方向のである前後方向において１直線で並ぶようにしているために、
【図面の簡単な説明】
【００２４】
【図１】本発明の実施の形態の一例の断面図である。
【図２】同上の正面図である。
【図３】同上の側面図である。
【図４】同上の刃ブロックの斜視図である。
【図５】同上のダイヤルの背面図である。
【図６】同上の動作状態を示すもので、(a)は部分断面図、(b)はダイヤル部分を透視した平面図である。
【図７】同上の動作状態を示すもので、ダイヤル部分を透視した平面図である。
【図８】同上の動作状態を示すもので、(a)は部分断面図、(b)はダイヤル部分を透視した平面図である。
【符号の説明】
【００２５】
１  本体
２  刃ブロック
３  ダイヤル
４  スライダー
５  レバー
１５  ばね部材
２１  固定刃
２２  可動刃
【図１】
2005304627.tif 000003
【図２】
2005304627.tif 000004
【図３】
2005304627.tif 000005
【図４】
2005304627.tif 000006
【図５】
2005304627.tif 000007
【図６】
2005304627.tif 000008
【図７】
2005304627.tif 000009
【図８】
2005304627.tif 000010